(57)【要約】【課題】電線の噛み込みを防止することが可能なプロテクタを提供する。【解決手段】プロテクタ１０は、電線６０を導入する開口部１８を有するプロテクタ本体１２と、プロテクタ本体１２の一側に回動可能に連結され、開口部１８を塞ぐようにプロテクタ本体１２に被せられる蓋部１３とを備える。また、プロテクタ１０は、蓋部１３とは別にプロテクタ本体１２の一側に回動可能に連結され、開口部１８を開く開放位置から蓋部１３に押されて開口部１８側に変位可能とされており、開放位置にて開口部１８全体を開く方向に傾斜する部分で開口部１８から外側にはみ出た電線６０Ａを拾う電線拾い部１４とを備える。【選択図】図４
2017022791.tif 000002
【特許請求の範囲】
【請求項１】
電線を導入する開口部を有し、前記開口部から導入した前記電線を内部に収容するプロテクタ本体と、
前記プロテクタ本体の一側に回動可能に連結され、前記開口部を塞ぐように前記プロテクタ本体に被せられる蓋部と、
前記蓋部とは別に前記プロテクタ本体の一側に回動可能に連結され、前記開口部を開く開放位置から前記蓋部に押されて前記開口部側に変位可能とされており、前記開放位置にて前記プロテクタ本体に対し前記開口部全体を開く方向に傾斜する部分で前記開口部から外側にはみ出た電線を拾う電線拾い部とを備えることを特徴とするプロテクタ。
【請求項２】
前記開口部が上向きに開口する場合に、前記プロテクタ本体の一側に前記電線拾い部が連結される位置が、前記プロテクタ本体の一側に前記蓋部が連結される位置よりも下方に設定されていることを特徴とする請求項１記載のプロテクタ。    
【請求項３】
前記電線拾い部には、前記プロテクタ本体の一側から離れた先端部に、前記開放位置にて前記開口部に近づく方向に屈曲する形態をなす返し部が設けられていることを特徴とする請求項１又は２記載のプロテクタ。
【請求項４】
前記蓋部には、前記電線拾い部を投影した位置に、前記電線拾い部を形成するための型抜き孔が設けられていることを特徴とする請求項１ないし３のいずれか１項記載のプロテクタ。
【発明の詳細な説明】
【技術分野】
【０００１】
本発明は、プロテクタに関する。
【背景技術】
【０００２】
特許文献１に開示されたワイヤハーネス用プロテクタは、底壁と両側壁とで電線挿通空間を囲むプロテクタ本体と、プロテクタ本体の一方の側壁の先端に薄肉ヒンジ部を介して連結され、プロテクタ本体に電線を挿通させた後、電線挿通空間の開口を塞ぐように薄肉ヒンジ部を支点として回動される蓋（以下、蓋部という）とを備えている。プロテクタ本体と蓋部との間で、且つ互いに隣接する薄肉ヒンジ部間の位置には、プロテクタ本体の一方の側壁の先端から突出する可撓性のストッパー片が設けられている。ストッパー片は、閉状態に変位する蓋部に押されて屈曲させられ、電線挿通空間の開口側に変位することで内側に位置する電線を電線挿通空間に誘い込むことが可能とされている。
【先行技術文献】
【特許文献】
【０００３】
【特許文献１】特開２００９−２６８１６３号公報
【発明の概要】
【発明が解決しようとする課題】
【０００４】
上記のストッパー片は、その屈曲前、側壁の壁面に沿うように垂直方向に起立して配置されている。このため、電線挿通空間の開口から外側にはみ出た電線は、ストッパー片の外側に位置することとなり、閉状態に変位する蓋部とストッパー片との間に電線が噛み込まれるおそれがある。
【０００５】
本発明は上記のような事情に基づいて完成されたものであって、電線の噛み込みを防止することが可能なプロテクタを提供することを目的とする。
【課題を解決するための手段】
【０００６】
本発明のプロテクタは、電線を導入する開口部を有し、前記開口部から導入した前記電線を内部に収容するプロテクタ本体と、前記プロテクタ本体の一側に回動可能に連結され、前記開口部を塞ぐように前記プロテクタ本体に被せられる蓋部と、前記蓋部とは別に前記プロテクタ本体の一側に回動可能に連結され、前記開口部を開く開放位置から前記蓋部に押されて前記開口部側に変位可能とされており、前記開放位置にて前記プロテクタ本体に対し前記開口部全体を開く方向に傾斜する部分で前記開口部から外側にはみ出た電線を拾う電線拾い部とを備えるところに特徴を有する。
【発明の効果】
【０００７】
開放位置における電線拾い部の傾斜部分で開口部から外側にはみ出た電線が拾われるため、電線拾い部が蓋部に押されて開口部側に変位するときに、はみ出た電線もプロテクタ本体内に収容可能となる。したがって、プロテクタ本体と蓋部との間、及び蓋部と電線拾い部との間における電線の噛み込みを防止することができる。
【図面の簡単な説明】
【０００８】
【図１】本発明の実施例のプロテクタを含む配線モジュールの平面図である。
【図２】図１の要部拡大図である。
【図３】蓋部が閉状態で、且つ電線拾い部が閉止位置にある状態を示す断面図である。
【図４】蓋部が開状態で、且つ電線拾い部が開放位置にある状態を示す断面図である。
【図５】開口部から外側にはみ出た電線が電線拾い部に拾われる状態を示す拡大断面図である。
【発明を実施するための形態】
【０００９】
本発明の好ましい実施形態を以下に示す。
前記開口部が上向きに開口する場合に、前記プロテクタ本体の一側に前記電線拾い部が連結される位置が、前記プロテクタ本体の一側に前記蓋部が連結される位置よりも下方に設定されている。このような構成であれば、電線拾い部が蓋部で押されて開口部側に変位する際に、電線がプロテクタ本体内に円滑に誘い込まれるため、電線の噛み込みをいっそう確実に防止することができる。
【００１０】
前記電線拾い部には、前記プロテクタ本体の一側から離れた先端部に、前記開放位置にて前記開口部に近づく方向に屈曲する形態をなす返し部が設けられている。返し部によって電線拾い部に拾われた電線が外側に抜け出す事態を防止することができる。
【００１１】
前記蓋部には、前記電線拾い部を投影した位置に、前記電線拾い部を形成するための型抜き孔が設けられている。蓋部と電線拾い部とがいずれもプロテクタ本体の一側に連結され、開放位置における電線拾い部が開口部から離れる方向に傾斜する部分を有しているため、蓋部と電線拾い部とを成形する金型の構造が複雑になるおそれがある。しかるに上記構成によれば、型抜き孔を介することで、蓋部と電線拾い部とを容易に成形することができる。
【００１２】
＜実施例＞
以下、実施例を図面に基づいて説明する。本実施例の場合、図１に示すように、複数並列に配置される電池パック９０に取り付けられる配線モジュール８０において、温度検知用の端子金具７０に接続された電線６０を収容する電線収容溝１１を有するプロテクタ本体１２を備えたプロテクタ１０を例示するものである。
【００１３】
この種の電池パック９０に取り付けられる配線モジュール８０は、通常、高さ方向（図１の紙面厚み方向）の制約が厳しく、低背化が求められるという事情がある。このため、図１に示すように、プロテクタ１０は、電線収容溝１１に収容された電線６０の浮き上がりを規制する蓋部１３を備えている。また、プロテクタ１０は、蓋部１３とは別に、電線６０Ａを拾って電線収容溝１１に導く電線拾い部１４を備えている。プロテクタ本体１２、蓋部１３及び電線拾い部１４は、いずれも合成樹脂製であって、互いに一体に構成されている。
【００１４】
プロテクタ本体１２は、全体として電線６０の配索方向に延出する樋状をなし、図３に示すように、幅方向（図３の左右方向）に沿った底壁１５と、底壁１５の幅方向両端からほぼ垂直に立ち上がる一対の側壁１６、１７とを備えている。電線収容溝１１は、底壁１５と両側壁１６、１７とによって区画されている。図４に示すように、プロテクタ本体１２の電線収容溝１１の上面は、開口部１８として上方に開放されている。
【００１５】
また、図１、図３及び図４に示すように、プロテクタ本体１２は、電線収容溝１１と平行に並んで配置されるバスバー収容溝１９を有している。バスバー収容溝１９の溝幅は、電線収容溝１１の溝幅よりも大きくされている。そして、バスバー収容溝１９には、図１に示すように、電池パック９０の電極端子９１と端子金具７０とに接続されるバスバー５０が収容されている。両側壁１６、１７のうち、図３及び図４の向かって左側に位置する側壁１７は、電線収容溝１１とバスバー収容溝１９とを仕切る壁として機能している。そして、プロテクタ本体１２は、側壁１７との間にバスバー収容溝１９を区画する対向側壁２１を有している。図１に示すように、対向側壁２１の外面には、バスバー５０の長さ方向（電線６０の配索方向でもある）に間隔をあけて、ロック受部２２が突出して設けられている。
【００１６】
図３及び図４に示すように、蓋部１３は、両側壁１６、１７のうち、図３及び図４の向かって右側に位置する側壁１６に連結される薄肉帯状で且つ可撓性を有するヒンジ部２３と、ヒンジ部２３を介して側壁１６に連結される蓋部本体２４とで構成されている。ヒンジ部２３は、側壁１６の上端部の外面に連結され、図１に示すように、電線６０の配索方向に間隔をあけて複数設けられている。本実施例の場合、１つの蓋部１３に対し３つのヒンジ部２３が連結されている。
【００１７】
図１に示すように、蓋部本体２４は、電線６０の配索方向に長い平板状をなし、その側縁に、電線６０の配索方向に間隔をあけて、ロック部２５が突出して設けられている。図４に示すように、ロック部２５は、蓋部本体２４の平面方向と直交する方向に突出する形態とされている。
【００１８】
ここで、蓋部本体２４は、プロテクタ本体１２に対しヒンジ部２３を中心として開状態と閉状態とに回動可能とされている。図４に示すように、開状態では、電線収容溝１１の開口部１８全体を開放するように蓋部本体２４が開口部１８と反対側にほぼ水平に配置される。図３に示すように、閉状態では、電線収容溝１１の開口部１８を覆うように蓋部本体２４が開口部１８を塞いでほぼ水平に配置される。そして、閉状態では、バスバー収容溝１９の上端開口も蓋部本体２４で覆われて塞がれる。また、閉状態では、ロック部２５がロック受部２２を弾性的に係止し、これによって蓋部１３が開口部１８を塞ぐ状態を維持することが可能となっている。
【００１９】
図４に示すように、蓋部本体２４には、電線拾い部１４を成形するための図示しない金型が通過することによって型抜き孔２６が設けられている。図２に示すように、型抜き孔２６は、蓋部本体２４の側縁（側壁１６の上端に対向する側縁）に開口する形態とされている。蓋部１３と電線拾い部１４とは同一の金型から成形されるが、成形時には、図４に示すように、蓋部１３が水平姿勢（開状態の姿勢）で、且つ電線拾い部１４が傾斜姿勢（後述する開放位置の姿勢）をとるようにされ、その状態で、電線拾い部１４の全体を垂直下方に投影した範囲に、型抜き孔２６が上下方向に貫通して形成されるようになっている。図３に示すように、蓋部本体２４がヒンジ部２３を中心として閉状態に向けて回動されたときには、蓋部本体２４の型抜き孔２６の孔縁部（以下、当接部２７という）が電線拾い部１４と当接する。
【００２０】
図３〜図５に示すように、電線拾い部１４は、ヒンジ部２３と同じ側壁１６に連結される薄肉帯状で且つ可撓性を有する可撓連結部２８と、可撓連結部２８に連結される拾い部本体２９とで構成されている。図１に示すように、電線拾い部１４は、電線６０の配索方向に並ぶ３つのヒンジ部２３のうち、互いに隣接する２つのヒンジ部２３間に配置され、詳しくは、電線６０の配索方向の端部寄りに位置するヒンジ部２３の近くに配置されている。
【００２１】
可撓連結部２８は、図２に示すように、ヒンジ部２３よりも一回り小さくされ、図３及び図４に示すように、側壁１６の外面においてヒンジ部２３よりも下方の部位に連結されている。側壁１６の上端には、可撓連結部２８との連結位置まで凹む切欠状の凹部３１が設けられている。
【００２２】
図２に示すように、拾い部本体２９は、蓋部本体２４の型抜き孔２６の開口内に収まる大きさで形成されている。具体的には、拾い部本体２９は、図４及び図５に示すように、矩形平板状の電線受部３２と、電線受部３２の先端部から内側（開口部１８側）へ湾曲状に屈曲する返し部３３とで構成されている。電線受部３２には、返し部３３を成形するための図示しない金型が通過することによって略矩形の貫通孔３４が設けられている。
【００２３】
拾い部本体２９は、プロテクタ本体１２に対し可撓連結部２８を中心として開放位置（図１、図２及び図４を参照）と閉止位置（図３を参照）とに回動可能とされている。図４に示すように、開放位置では、電線収容溝１１の開口部１８全体を開放するようにして電線受部３２が垂直方向（側壁１６の起立方向）及び水平方向（底壁１５の幅方向）に対し直線状に傾斜する方向に配置される。そして、開放位置では、返し部３３が電線受部３２の上端からほぼ垂直に立ち上がったあと内側に弧状に屈曲し、その返し部３３の屈曲部分を下方へ投影した位置に、電線受部３２の貫通孔３４が上下方向に貫通する形態で配置される。
【００２４】
拾い部本体２９は、蓋部本体２４の当接部２７によって押圧されることで、閉状態に向かう蓋部本体２４に応じて開放位置から閉止位置へと回動される。図３に示すように、閉止位置では、蓋部本体２４とともに、電線収容溝１１の開口部１８を覆うように電線受部３２が開口部１８を塞いでほぼ水平に配置されるようになっている。
【００２５】
次に、本実施例のプロテクタ１０の作用効果を説明する。
プロテクタ本体１２の電線収容溝１１に電線６０を収容するに際し、蓋部本体２４が開状態とされるとともに、拾い部本体２９が開放位置に置かれ、開口部１８全体が上方に開放される。その状態で、開口部１８を通して上方から複数本の電線６０が導入される。このとき、図４に示すように、電線６０Ａが開口部１８から外側にはみ出た位置にあると、具体的には、電線６０Ａが開口部１８を上方に延長した領域から外れた位置にあると、そのはみ出た電線６０Ａは開放位置における拾い部本体２９の電線受部３２によって受け止められる。また、電線受部３２に受け止められた電線６０Ａは返し部３３に当接することで電線受部３２から外側に脱落するのが防止される。
【００２６】
続いて、蓋部本体２４がヒンジ部２３を支点として閉状態に向けて回動される。蓋部本体２４の回動途中では、当接部２７が拾い部本体２９の先端部に当接し、閉状態に向かう蓋部本体２４とともに拾い部本体２９が可撓連結部２８を支点として閉止位置に向けて回動される。拾い部本体２９が回動されて閉止位置に至るまでの間、電線６０Ａが電線受部３２の傾斜面を滑落等して電線収容溝１１に誘い込まれる（図５を参照）。このとき、可撓連結部２８がヒンジ部２３よりも下方に位置しているため、電線６０Ａがヒンジ部２３に載置されるのを回避することができ、ヒンジ部２３と側壁１６との間における電線６０Ａの噛み込みを高い信頼性をもって防止することができる。
【００２７】
図３に示すように、蓋部１３が閉状態に至ると、ロック部２５がロック受部２２を弾性的に係止して、蓋部本体２４がプロテクタ本体１２に固定される。また、蓋部１３が閉状態に至るに伴い、電線拾い部１４が閉止位置に至り、電線収容溝１１の開口部１８が蓋部本体２４と拾い部本体２９とで閉塞されるとともに、バスバー収容溝１９の上端開口が蓋部本体２４で閉塞される。このとき、電線拾い部１４は、図示しない支持手段に支持されることで閉止位置に維持される。
【００２８】
以上説明したように、本実施例によれば、開放位置における電線拾い部１４の電線受部３２によって開口部１８から外側にはみ出た電線６０Ａが拾われるため、電線拾い部１４が蓋部１３に押されて開口部１８側（閉止位置）に変位するときに、はみ出た電線６０Ａもプロテクタ本体１２の電線収容溝１１に収容可能となる。したがって、プロテクタ本体１２と蓋部１３との間、及び蓋部１３と電線拾い部１４との間における電線６０Ａの噛み込みを防止することができる。
【００２９】
また、側壁１６に対する可撓連結部２８の連結位置が、側壁１６に対するヒンジ部２３の連結位置よりも下方に設定されているため、電線拾い部１４に拾われた電線６０Ａがプロテクタ本体１２内に円滑に誘い込まれ、電線６０Ａの噛み込みをいっそう確実に防止することができる。
【００３０】
さらに、電線拾い部１４の先端部には返し部３３が設けられているため、電線拾い部１４に拾われた電線６０Ａが外側に抜け出す事態を防止することができる。さらにまた、蓋部本体２４の型抜き孔２６を介することで、蓋部１３と電線拾い部１４とを同一の金型で容易に成形することができ、金型構造が複雑になるのを防止することができる。
【００３１】
＜他の実施例＞
以下、他の実施例を簡単に説明する。
（１）電線拾い部の電線受部の傾斜面が曲面状に形成されるものであってもよい。
（２）電線拾い部の電線受部は、開放位置にて全体として傾斜して配置されていればよく、水平又は垂直領域を含んでいてもよい。
（３）一つの蓋部及びプロテクタ本体に対し、複数の電線拾い部が設けられるものであってもよい。
（４）本発明のプロテクタは、電池パックに取り付けられる配線モジュールに限らず、電線を収容するプロテクタに広く適用することが可能である。
【符号の説明】
【００３２】
１０…プロテクタ
１１…電線収容溝
１２…プロテクタ本体
１３…蓋部
１６…側壁（ヒンジ部と可撓連結部とが連結される壁）
１７…側壁（電線収容溝とバスバー収容溝とを仕切る壁）
１８…開口部
２３…ヒンジ部
２４…蓋部本体
２６…型抜き孔
２８…可撓連結部
２９…拾い部本体
３３…返し部
６０…電線
６０Ａ…外側にはみ出た電線
【図１】
2017022791.tif 000003
【図２】
2017022791.tif 000004
【図３】
2017022791.tif 000005
【図４】
2017022791.tif 000006
【図５】
2017022791.tif 000007